Podtech/llm-jp-corpus-v4-ja_patent huggingface dataset:
(57)【要約】【課題】従来のアイスノンは大型で四角、小型でもヒモが痛くて布でくるんでむすぶと首が苦しい。ペットタイプにすると服も着せるので直接低温になり過ぎず夏をすずしく演出する。【解決手段】歩いても落ちない様、首も苦しくしまり過ぎない様、ペット形ビニールにボタンが付いている。【選択図】図２
2006026377.tif 000002
【特許請求の範囲】
【請求項１】
医療用アイスノンをペットの形状にし夏期の外出時のネッカチーフや恋人、親子のハンドウォーマとしたものである。
【発明の詳細な説明】
【技術分野】
【０００１】この発明はアイスノンをペット形にして医療用外としたものである。
【背景技術】
【０００２】従来のアイスノンは医療用で四角か丸形である
【発明の開示】
【発明が解決しようとする課題】
【０００３】四角も丸形も味気なく楽しく外出に持てない。
【課題を解決するための手段】
【０００４】ペット形とした。
【発明の効果】
【０００５】ペット形にすると小供も大人も恋人達も楽しく持ち歩き炎天下の外出も楽です。
【発明を実施するための最良の形態】
【０００６】▲１▼のペット形ビニールに▲２▼の保冷材を入れる▲３▼のボタンはビニールに付ける▲４▼の結露よけペットの服を付ける。
【図面の簡単な説明】
【０００７】
【図１】本発明の着用図である
【図２】ボタンで止めた時
【符号の説明】
【０００８】▲１▼ビニール
▲２▼保冷材
▲３▼ボタン
▲４▼布ペットの服
【図１】
2006026377.tif 000003
【図２】
2006026377.tif 000004
(57)【要約】      （修正有）【課題】施療の効率化と保持部を握ることなく使用が可能な温灸器の提供。【解決手段】底面を加熱部とし上部を保持部とした本体にさらに保持部中央にベルトを備え、その下に手指をくぐらせることが出来る温灸器。【選択図】図３
2006026380.tif 000002
【特許請求の範囲】
【請求項１】
底面に加熱部を有する温灸器において上部を保持部とすることを特徴とした温灸器
【請求項２】
本体保持部中央にベルトを備えた請求項１に記載の温灸器
【発明の詳細な説明】
【技術分野】
【０００１】本発明は底面を加熱部とし上部を保持部とした本体に、さらに保持部中央にベルトを備え、その下に手指をくぐらせることが出来る温灸器である。
〔背景技術〕【０００２】従来の多くの温灸器は加熱部と保持部から成り、加熱部の面積が小さい。又、保持部を握りながら加熱部を患部に当てる動作が連続し、握力の弱い人や手や肩に痛みのある人には使用が困難であった。
〔発明の開示〕
〔発明が解決しようとする課題〕【０００３】本発明は前項を改善させる為、加熱部の面積を広くすることによる施療の効率化（従来の多くの温灸器に対して３倍〜６倍程度）と保持部を握ることなく、手の自然な動きによる労力の軽減化を計る。
〔課題を解決する為の手段〕【０００４】本発明は上記課題の解決として、底面を加熱部▲１▼としその上部を保持部▲２▼とする。全体はパソコンのマウスの様な形状をしており、さらに保持部中央の１側より他の側に渡るベルト▲３▼を備えることとした。それによりベルト▲３▼の下に、手指をくぐらせるだけで、直接掌で患部をさする様な自然な動きとなり握力はほとんど不要である。ベルトの素材は収縮性のあるものが望ましく、着脱可能でも、取り付けてもよい。
加熱部の素材は熱伝導率の良い金属や遠赤外線を発するセラミックスあるいは伝熱性耐熱樹脂等を使用する。
熱源は電熱とし熱センサーを内蔵させたコントローラー▲５▼により温度を調節する。さらに安全管理の点から上限温度（例えば５０℃）に達すると熱源が自動的に切断される装置を付加してもよい。
又、アロマテラピー効果を加える場合はアロマテラピー用の精油を滴下させる含油凹部▲４▼（実用新案登録第３０９３７４８号参照）を設ける。市販されている多種の精油の中から自分の好きな「香り」を自由に楽しむことが出来るのが特徴である。
含油凹部▲４▼やコントローラー▲５▼の場所は全体のデザインや大きさなどにより適宜設定する。
背部など、長い保持部が必要な場合は、その接合部をはめ込み式やネジ式とした付属品として考えてもよい。
〔発明の効果〕【０００５】本発明は軽便でありながら加熱部▲１▼の広い温灸器である為短時間で効果的に全身施療することが出来、労力も大いに軽減される。
又、ベルト▲３▼を備えていることにより、手指を固定したまま器具をほとんど握らずに使用することが可能となる。これにより手の動きが自然で直接掌で患部を摩る様な心理的効果が得られ、又、握力の弱い人や手や肩などに痛みがあり、”握る”ことが困難な場合でも、自分で簡単に使用出来る事が最大の利点である。そしてこの事は勿論、一般の人や手を酷使する専門家にとっても大変使い易く、労力が軽減される温灸器である。
〔発明の実施する為の最良の形態〕【０００６】本発明は握力の弱い人や手や肩に痛みのある人の為に加熱部▲１▼と保持部▲２▼を合体させ、さらに保持部にベルトを備えた。
これにより手指をベルト▲３▼の下にくぐらせるだけで手を固定したまま、ほとんど握らずに温灸器の使用が可能となる。
又、温熱、押圧のみの温灸器ではあるが、香りの効果（アロマテラピー）を必要とする場合は、すでに登録済みである「実用新案登録第３０９３７４８号」を適用し、含油凹部▲４▼を設ける。それにより温熱、押圧と共に自分の好きな、あるいは症状に合った「香り」でのアロマテラピーとの相乗効果も得ることが可能となる。
【図面の簡単な説明】
【０００７】〔図１〕平面図
〔図２〕側面図
〔図３〕鳥瞰図
【符号の説明】
【０００８】▲１▼加熱部
▲２▼保持部
▲３▼ベルト
▲４▼含油凹部
▲５▼コントローラー
▲６▼コード
【図１】
2006026380.tif 000003
【図２】
2006026380.tif 000004
【図３】
2006026380.tif 000005
(57)【要約】「課第」ベルトの腹側内側に空気袋をつけておいて空気加圧して腹筋を圧迫腹筋が空気圧力に抵抗する事によって腹筋は自然に強化され腰痛の緩和にも役に立つ。加圧を止めると複式呼吸により空気は自然に排出されるこの段階でも腹筋は強化される。「発明の解決手段」腹広ベルトの作成。小型加圧ポンプを作成。空気袋をベルト腹側内側に取り付ける。バックルは強化しておく。【特許請求の範囲】
【請求項１】
革ベルトの腹側内側に空気袋をつけておいて空気加圧して腹筋を圧迫
腹筋が空気圧力に抵抗する事によって腹筋は自然に強化され腰痛の緩和にも役に立つ。
【発明の詳細な説明】
【技術分野】空気圧力に抵抗する事によって腹筋は自然に強化され腰痛の緩和にも役に立つ。
「背景技術」
小型加圧ポンプによって腹筋を空気加圧。
「発明の開示」発明が開示しようとする課題」【０００３】空気加圧によって腹筋を加圧圧迫。
腹筋が空気圧力に抵抗する事によって腹筋は自然に強化され腰痛の緩和にも役に立つ。
「課第を解決する為の手段」
▲１▼小型加圧ポンプによって空気袋をふくらませて腹筋を加圧圧迫する。
▲２▼腹筋は空気圧に抵抗する。
▲３▼加圧を止めると複式呼吸によって袋の中は排出される。この段階でも腹筋は強化される。
▲４▼背中側の金属バックルが背中の壺を刺激して強化された腹筋と一緒に機能して腰痛を緩和する。
「発明の効果」
現代人の弱点である腹筋強化、スタイル矯正。
金属バックルによる背中の壺刺激。
両者による腰痛緩和効果。過食抑制。
「発明を実施する為の最良の形態」
ベルトの腹側を広くして腹筋を広く加圧出来る様にする。
ベルトの腹側に空気袋を取り付ける。
バックルは壺刺激が出来る様に頑丈なものにする。
「実施例」
圧力抵抗によって腹筋強化がなされる事は明らか。
バックルによる背中側壺刺激も明らか。
「産業上の利用可能性」
ベルト業界及びポンプ業界に大量の需要を創設
【図面の簡単な説明】「図１」
幅広ベルト。
腹側内側に空気袋を取り付ける。排気弁つき。
背中側バックルは強化したものを使用。
【図１】
2006026381.tif 000002
(57)【要約】【課題】  従来の光線治療器は、単一の光を照射して治癒を行うものであって、色の異なる光線を複合し、その光度を変えて照射する光線治療器は無かった。【解決手段】  二つ以上の色を複合した光線を人体の痛い部位に照射して体調を整えるようにしたものであり、また前記複合光線は、赤色と藍色の複合光線であって、その光度を赤色１に対し藍色２の割合で照射するようにしたものである。さらに前記複合光線は、スイッチ５に接続する各１０Ｗ・１０ルクスの２個の藍色電球１と１個の赤色電球２と、スイッチ６に接続する各５Ｗ・５ルクスの２個の藍色電球３と１個の赤色電球４とから発せられ、スイッチ５及び／またはスイッチ６を選択的に操作して複合光線の光度を変えて照射出来るようにした。【選択図】  図１
2006026335.tif 000002
【特許請求の範囲】
【請求項１】
二つ以上の色を複合した光線を人体の痛い部位に照射して体調を整えるようにした光線治療器。
【請求項２】
前記複合光線は、赤色と藍色の複合光線であって、その光度を赤色１に対し藍色２の割合で照射するようにした請求項1記載の光線治療器。
【請求項３】
前記複合光線は、スイッチ（５）に接続する各１０Ｗ・１０ルクスの２個の藍色電球（１）と１個の赤色電球（２）と、スイッチ（６）に接続する各５Ｗ・５ルクスの２個の藍色電球（３）と１個の赤色電球（４）とから発せられ、スイッチ（５）及び／またはスイッチ（６）を選択的に操作して複合光線の光度を変えて照射出来るようにした請求項１及び請求項２記載の光線治療器。
【発明の詳細な説明】
【技術分野】
【０００１】
人体の痛みのある患部や不快部分に着色された複合光線を照射して治療効果を得る光線治療器に関する。
【背景技術】
【０００２】
従来、ハロゲンランプや発光ダイオード、アーク放電などから発せられる可視光線、赤外線などを人体の患部に照射して人体を治癒する光線治療器が下記の特許文献に開示されている。
【特許文献１】特開２００３−１４４５６０号公報
【特許文献２】特開平１１−２６７１７９号公報
【特許文献３】特開平１０−５３５８号公報
【特許文献４】特開２０００−１４０１３６号公報
【発明の開示】
【発明が解決しようとする課題】
【０００３】
然しながら上記特許文献に開示される光線治療器は、単一の光を照射して治癒を行うものであって、色の異なる光線を複合し、その光度を変えて照射する光線治療器は無かった。
【課題を解決するための手段】
【０００４】
上記の目的を達成した本発明の光線治療器は、請求項１に記載のように、二つ以上の色を複合した光線を人体の痛い部位に照射して体調を整えるようにしたものであり、また請求項２に記載のように、前記複合光線は、赤色と藍色の複合光線であって、その光度を赤色１に対し藍色２の割合で照射するようにした。
【０００５】
さらに請求項３に記載のように、前記複合光線は、スイッチ５に接続する各１０Ｗ・１０ルクスの２個の藍色電球１と１個の赤色電球２と、スイッチ６に接続する各５Ｗ・５ルクスの２個の藍色電球３と１個の赤色電球４とから発せられ、スイッチ５及び／またはスイッチ６を選択的に操作して複合光線の光度を変えて照射出来るようにしたことを特徴としている。
【発明の効果】
【０００６】
本発明は、体の異常部位に赤色と藍色の複合光線をスイッチ操作で光度を変えて照射するものであり、単に患部の上から本光線治療器をかざしておくだけで患部の痛みを簡単に取り除けるという効果がある。
【発明を実施するための最良の形態】
【０００７】
身体の不調部位に赤色光線の光度を１、藍色光線の光度を２とする複合光線を当てることにより患部を快適に治癒する光線治療器を提供する。
【実施例】
【０００８】
本発明の光線治療器は、上面を開放する箱型の容器内に光度を違えた複数個の赤色電球と藍色電球とを収容したものであって、図１に示すように電源１０に接続する１０ｗ・１０ルクスの電球回路と５Ｗ・５ルクスの電球回路とを各設け、各回路にスイッチ５とスイッチ６とを各設けて両回路を選択的に切り替え操作できるようになっている。１０Ｗ・１０ルクスの電球回路には、各１０Ｗ・１０ルクスの２個の藍色電球１と１個の赤色電球２とを接続し、また５Ｗ・５ルクスの電球回路には、各５ｗ・５ルクスの２個の藍色電球３と１個の赤色電球４とを接続する。尚、図示では電球を直線的に配列したが各回路の電球を３角型に配置しても良い。また周囲の壁７の内面７ａを藍色とし、容器の上部には複数本のロッド８ａを差し渡した保護カバー８を被せてある。また容器の左右側面にはハンドル９を設けて赤色と藍色の複合光線を人体に当てるときにこのハンドル９を握って操作する。
【０００９】
本治療器を用いて実際に治療する場合、鼻詰まりの時は、スイッチ５とスイッチ６とを共にONとすると、１０W・１０ルクス電球回路の２個の藍色電球１と１個の赤色電球２が点灯し、同時に５ｗ・５ルクス電球回路の２個の藍色電球３と１個の赤色電球４が点灯する。従って１０w・１０ルクス電球回路及び５W・５ルクス電球回路から発せられる赤色光線と藍色光線の光度の比率は共に１：２となる。この複合光線を鼻の上に照射すると瞬間にして鼻の通りが良くなる。
【００１０】
また耳鳴りの場合も同様にスイッチ５及びスイッチ６を同時にONとすると、赤色光線と藍色光線の複合した光度１：２の光線を耳の上から照射し、しばらくすると耳鳴りを感じなくなる。また花粉症の場合は、やはり鼻の上から赤色光線の光度を１、藍色光線の光度を２の光線を鼻の上から数回当てると花粉症がとまる。
【００１１】
食べ過ぎた時は、胃の上からスイッチ５をONとして１０Ｗ・１０ルクス電球回路の１個の赤色電球２と２個の藍色電球が点灯し、その複合光線を当てるとしばらくする胃が治まる。
【００１２】
体が非常に疲れている時も同様に、スイッチ５及びスイッチ６を同時にONとして１０w・１０ルクス電球回路及び５W・５ルクス電球回路から発せられる赤色光線と藍色光線の光度比率１：２となる複合光線を足の裏に当てるとしばらくすると疲れが取れる。
【００１３】
足のこむら返りをした時、１０W回路のみを点灯させた合計３０ワット・３０ルクスとするか、全てを点灯させ４５ワット・４５ルクスの赤色光度１、藍色光度２の複合光線を照射し、しばらくすると足が柔らかくなる。
【００１４】
頭の側頭部が軽く痛い場合、１０W回路のみを点灯させた合計３０ワット・３０ルクスの赤色光線の光度を１、藍色光線の光度を２の光線をその部位に照射し、しばらくすると頭痛がなおる。肩が凝った場合、そこの部位に赤色光線の光度を１、藍色光線の光度を２の光線をその部位に照射すると肩凝りが治る。
【図面の簡単な説明】
【００１５】
【図１】本発明の光線治療器の斜視図である。
【図２】本治療器の電気回路図である。
【符号の説明】
【００１６】
１  １０Ｗ・１０ルクスの藍色電球
２  １０Ｗ・１０ルクスの赤色電球
３  ５Ｗ・５ルクスの藍色電球
４  ５Ｗ・５ルクスの赤色電球
５  １０Ｗ・１０ルクス回路のスイッチ
６  ５Ｗ・５ルクス回路のスイッチ
７  周壁
８  保護カバー
９  ハンドル
１０  電源
【図１】
2006026335.tif 000003
【図２】
2006026335.tif 000004
(57)【要約】【課題】スポーツや労働作業における手具は、ある程度の握力が無いと保持が安定しない。さらに、保持が安定しないと筋力に負荷がかかり、利用者は早く疲労する。万人に、スポーツの上達や負担の少ない労働作業を提供する補助具が求められている。【解決手段】少ない握力でも、安定して手具を保持できる補助具を提供する。ストラップ部を手首に通し、固定した手具とともに握って利用するストラップを、着脱容易なベルトと組み合わせることにより、広い分野の手具に取り付け可能となり、グリップ保持の助けとなる。【選択図】図２
2006026340.tif 000002
【特許請求の範囲】
【請求項１】
後付け可能な握りを補助するストラップ。
ストラップ部を手首に通し、固定した手具とともに握って利用する。
【発明の詳細な説明】
【技術分野】
【０００１】本発明は、万人向け補助用品  介護補助用品  労働作業補助用品  スポーツ補助用品
【背景技術】
【０００２】従来の補助具にも、テニスの上達を目的にしたものがある。（例えば、特許出願２０００？１６９７１５）また、スキーのポールグリップ専用に取り付けられたものもある。（例えば、特許出願２００１？５７４２１３）しかし、ぶら下げるだけのストラップでは、手具の保持の助けにはならない。スキーのストラップは、すぐれた保持補助具だが、他の分野にも普及させる工夫がされていない。
【発明の開示】
【発明が解決しようとする課題】
【０００３】スポーツや労働作業における手具は、ある程度の握力が無いと保持が安定しない。さらに、保持が安定しないと筋力に負荷がかかり、利用者は早く疲労する。万人に、スポーツの上達や負担の少ない労働作業を提供する補助具が求められている。
【課題を解決するための手段】
【０００４】少ない握力でも、安定して手具を保持できる補助具を提供する。ストラップ部を手首に通し、固定した手具とともに握って利用するストラップを、着脱容易なベルトと組み合わせることにより、広い分野の手具に取り付け可能となり、グリップ保持の助けとなる。
【発明の効果】
【０００５】握力の弱い、子供、女性、高齢者、ハンディのある方など、万人向けな補助具となる。また、うっかりしたり、握力低下による脱落を防ぎ、手具の紛失や損傷を防ぎぐ。スポーツで利用すれば、トレーニング時の負荷を軽減し、パワーアップが体感できる。
【発明を実施するための最良の形態】
【０００６】腕を通すストラップ部と、手具に固定するベルト部からなる。ストラップ部には、長さ調節バックル部や、ベルクロテープ（マジックテープ登録商標）を利用した長さ調整機能を含む。ベルト部には、ベルクロテープ（マジックテープ登録商標）部や、Ｏ型バックル部、コードとコードストッパー利用や、滑べりどめ素材の各部を含む。
【実施例】
【０００７】具体的な用途として、介護リハビリでは、歩行補助のステッキや、歩行器への装着。【０００８】スポーツでは、ボートのオールやカヌーのパドル。フィッシングのロッドに。テニスのラケット。ホッケーやラクロスのスティック等の手具に。【０００９】労働作業では、モップや、グランドキープ用のトンボブラシ等の柄。鍬、鎌などの農耕道具の柄。牽引力を必要とさえる作業や、モリや槍を繰り返し突くような作業に用いる柄に装着した利用。
【図面の簡単な説明】
【００１０】
【図１】  外観図
【図２】  使用状況のいち例
【符号の説明】
【００１１】      （１）手具に固定する結束部。
（２）手首に通し、手具とともに握るストラップ部。
（３）結束のためのＯ型バックル。
（４）結束のためのベルクロテープ。
（５）ストラップの長さ調節をするバックル。
（６）ストラップ部を手首に通し、固定した手具とともに握って利用する。
【図１】
2006026340.tif 000003
【図２】
2006026340.tif 000004
(57)【要約】      （修正有）【課題】見た目に美しく、リラックスした気分で安眠できるミニ天蓋を提供すること。【解決手段】枕もとにある一人か二人用の美しく装飾した小さな天蓋で、その中の空間は基本的には自分の呼気で保温や保湿ができるものとし、材質の選定によって遮光、防虫，防塵、防臭ができ、シックハウス症候にも効果を発揮するものである。しかも狭い空間だからこそお香やハーブ等や光の装飾によってアロマ効果を楽しむことができ快適な睡眠が得られるだろう。携帯電話の利用もお休みの、おはようの挨拶はリアルタイムでできる。枠部や布部等に付いた機器を利用すれば学術、文化、娯楽、情報を得、収集し整理することもできるし、寝ている人の健康をチェックして外部へ連絡することも可能である。【選択図】図５
2006026339.tif 000002
【特許請求の範囲】
【請求項１】
枕もとにあって、天井から吊るされた形態ではない枕もとを覆う空間を形成する為の枠とそれに着脱できる布，木、竹、プラスチック等でできた天幕、天蓋布とで構成される枕もとミニ天蓋。
【請求項２】
枕もとを覆う空間を形成する枠や布等に安眠を催す光やお香等アロマ効果を発揮する付属物が付いている枕もとミニ天蓋。
【請求項３】
枕もとを覆う空間を形成する枠や布等に快眠を促す為の営為、携帯電話での連絡、充電、ディスプレイでインターネットやテレビ等での情報の収集や整理ができる着脱可能な電子機器が付いている枕もとミニ天蓋。
【請求項４】
枕もとを覆う空間を形成する枠や布等に健康をチェックし介護をサポートする器具と赤ちゃんや老人や病人を見守り異常を外部へ通報するシステム機能の付いた枕もとミニ天蓋
【発明の詳細な説明】
【技術分野】
【０００１】  寝具の分野に関するものである。
【背景技術】
【０００２】  ヨーロッパ等の宮殿の寝室には天蓋がありベッド全体を覆ってほとんど華やかな装飾として用いられている。
【発明の開示】
【発明が解決しようとする課題】
【０００３】  睡眠は人生の４分の１以上を費やす大切な営みであるが、歴史的に布団と枕とベッドの改良がなされるくらいであった。健康で快適な人生を送る為に今日的な寝床やベッドでの在り方、過ごし方を安眠、快眠、介護の三点を本考案の課題とし、それを解決するものとしてまず安眠に関しては、そっけないベッドや寝床を美しい意匠の枕もとミニ天蓋で飾り、睡眠を催す光による装飾やお香等でのアロマ効果を発揮する小物等を身近に置くことで誰もが今よりずっと気持ち良く安らかに睡眠を得ることができる。快眠に関しては寝所での寝入るまでの時間、寝起きの時間を携帯電話やインターネット、テレビ等で連絡や情報の収集や整理が出来れば楽しく有意義に過ごせるので一日のけじめがすっきりし気持ち良く眠りにはいることができるし起床できる。介護に関しては赤ちゃんからお年より、病人の介護や健康チェックができる器具を用意し、カメラで見守り異常を外部に連絡できる機能の付いた機器をセットすれば寝ている当人も介護にあたる人も安心できる。
【課題を解決するための手段】
【０００４】  安眠、快眠、介護の課題を使用するニーズによって枕もとミニ天蓋のタイプを安眠型快眠型、介護型と用意する。したがって枠の強度や大きさ形態もそれに準じて変え、天幕や天蓋布の構成上での有無から材質の選定も行う。枕もとにあるものであるから何よりも安全で睡眠の邪魔にならないで落ち着いた美しさが表現されることが肝心である。ディスプレイ等の電子機器をはじめ付属物はできるかぎり着脱可能なものとする。
【発明の効果】
【０００５】  本考案は今までの寝所に無いものであるが機能上では有っても不思議ではないもので技術の向上と今日的な生活スタイルの変化で必ず可能で必要なものとなり、睡眠という営為がもっと豊かになり人生を画期的に楽しく変えるものとなる。人生の約四分の一を費やす大事な時間を快適な睡眠で保証されればまさしく人生の幸福になるものである。
【発明を実施する為の最良の形態】
【０００６】  まず見た目が美しいもので、リラックスした気持で快い睡眠を促すものとする。つぎに睡眠の邪魔にならず、寝所の掃除、布団の上げ下げに不便でない軽くてシンプルなものとする。
【実施例】
【０００７】  実施例について図面を参照にして説明する。
図５において、畳の上に敷いた布団の枕もとにセットした枕もとミニ天蓋である。５  枕もとミニ天蓋機器付き枠に２  枕もとミニ天蓋天幕を３  枕もとミニ天蓋布に被せてセットした枕もとミニ天蓋の中で床に就いている人が５  枕もとミニ天蓋機器付き枠にあるディスプレイを見ているものである。
【産業上の利用可能性】
【０００８】  睡眠は人生の約四分の一、一日の四分の一を費やすものであるからどんな状態の生活を送っていてもせめて睡眠の時間だけでも快適に過ごせるならば、大きな生活の励みや力になるものです。この枕もとミニ天蓋は睡眠時のその人それぞれの目的に応じた製品が用意でき、個人に限らず家族や社会の安定や平穏に寄与できるものであるから大いに利用されるものである。
【図面の簡単な説明】
【０００９】
【図１】  畳に敷いた布団にセットした１  枕もとミニ天蓋枠に３  枕もとミニ天蓋布を付け２  枕もとミニ天蓋天幕を被せたものである。
【図２】  ベッドにセットした４  枕もとミニ天蓋布吊り型枠に３  枕もとミニ天蓋布をセットしたものである。
【図３】  ４  枕もとミニ天蓋布吊り型枠に３  枕もとミニ天蓋布を付けたところを上から見たものである。
【図４】  ５  枕もとミニ天蓋機器付き枠
【図５】  ５  枕もとミニ天蓋機器付き枠に３  枕もとミニ天蓋布を付け２  枕もとミニ天蓋天幕を被せた図
【符号の説明】
【００１０】１  枕もとミニ天蓋枠
２  枕もとミニ天蓋天幕
３  枕もとミニ天蓋布
４  枕もとミニ天蓋布吊り型枠
５  枕もとミニ天蓋機器付き枠
【図１】
2006026339.tif 000003
【図２】
2006026339.tif 000004
【図３】
2006026339.tif 000005
【図４】
2006026339.tif 000006
【図５】
2006026339.tif 000007
(57)【要約】  【課題】  無線コントローラの位置認識が容易にでき、しかも電池の消耗が少ない無線コントローラを備えた電動ミシンを提供する。  【解決手段】ミシン本体１とコントローラ２との間はケーブルがなく、コードレスになっており、無線により接続されている。コントローラ２にはＬＥＤランプ３が設けられており、所定の点滅表示を行い、コントローラ２の位置認識を容易に行える。コントローラ２が長時間ふまれないと、該時間に対応してＬＥＤランプ３の点滅の間隔を大きくして、バッテリなど電源の節約を図る。【選択図】  図１
2006026147.tif 000002
【特許請求の範囲】
【請求項１】
ミシン本体に無線で接続する無線コントローラと、
該無線コントローラに備えられた点灯表示器と、
該点灯表示装置を前記無線コントローラの不操作時間に応じて点滅させる制御装置と、
を備えたことを特徴とする電動ミシン。
【請求項２】
前記制御装置が無線コントローラの不操作時間が長くなると、前記点灯表示器の点滅間隔を長くするように制御する、
請求項１に記載の電動ミシン。
【発明の詳細な説明】
【技術分野】
【０００１】
この発明は、電動ミシンに関する。
【背景技術】
【０００２】
電動ミシンの始動、停止及び駆動速度（縫い速度）の制御は、ミシン本体に備えられたレバーか或いはミシン本体に接続された足踏み式のコントローラで行う構成が普通であるが、該足踏み式のコントローラをコードレス化して、無線でミシンの制御を行うことが提案されている（特許文献１参照）。
【０００３】
【特許文献１】特許第２７２２７６９号公報
【発明の開示】
【発明が解決しようとする課題】
【０００４】
しかし、無線コントローラの場合、本体との間にコードがないため、不用意に蹴飛ばして物陰に入るなどした場合、探すのが大変になることが多い。
そのため、表示ランプなどを設けることが考えられるが、コードレスであるため、電池の消耗を招く問題がある。
本発明は上記従来の問題を解決することを目的とする。
【課題を解決するための手段】
【０００５】
上記目的を達成するために、本発明の電動ミシンは、ミシン本体に無線で接続する無線コントローラと、該無線コントローラに備えられた点灯表示器と、該点灯表示装置を前記無線コントローラの不操作時間に応じて点滅させる制御装置と、を備えたことを特徴とする。前記点滅は、無線コントローラの不操作時間が長くなると、点滅間隔を長くするようにすれば良い。
【発明の効果】
【０００６】
本発明の電動ミシンによれば、無線コントローラの位置認識が容易にでき、しかも電池の消耗が少ない効果がある。
【発明を実施するための最良の形態】
【０００７】
以下本発明の実施の形態を図面に基づいて説明する。
図１に示すように、この電動ミシンはミシン本体１とコントローラ２を備える。ミシン本体１とコントローラ２との間はケーブルがなく、コードレスになっており、無線により接続されている。コントローラ２にはＬＥＤランプ３が設けられており、所定の点滅表示を行い、コントローラ２の位置認識を容易に行えるようになっている。
【０００８】
ミシン本体１には表示装置５が設けられ、種々の表示を行い、またこの実施形態ではコントローラ２からの送信内容を表示するようになっている。
ミシン本体１にはまた操作装置６が設けられており、使用者が種々の操作を行えるようになっている。
【０００９】
コントローラ２は足踏み式になっており、図２に示すようにコントローラ２を踏み込むとスイッチ２２がオンになり、制御装置２１から信号が送られ、送信装置２０によりアンテナ２４から起動信号を送ってミシン本体１を起動し、更にコントローラ２を踏み込むと可変抵抗器２３が移動して、該踏み込み量に応じた信号をミシン本体１に送るようになっている。該信号により、ミシン本体１では所定の縫い速度（駆動速度）で縫いが実行されるようになっている。
【００１０】
制御装置２１はＬＥＤランプ３の点滅制御を行うように構成されている。
スイッチ２２がオンからオフになると、即ち使用者がコントローラ２を踏まなくなると、制御装置２１はＬＥＤランプ３を所定間隔で点滅させて、使用者がコントローラ２の位置を認識しやすいようにする。コントローラ２が長時間ふまれないと、該時間に対応してＬＥＤランプ３の点滅の間隔を大きくして、バッテリなど電源の節約を図るように構成されている。
【００１１】
図３により、動作を説明する。
コントローラ２が踏まれてスイッチ２２がオンになったか否かチェックし（ステップＳ１）、更にコントローラ２の踏み込み量に応じて可変抵抗器２３が移動し、該抵抗値に応じた信号が送信装置２０から送信される（ステップＳ２）。コントローラ２がオフになると（ステップＳ３）、オフ信号（縫い停止信号）を送信装置２０から送り（ステップＳ４）、制御装置２１内に設けられているタイマを初期化する（ステップＳ５）。
【００１２】
所定時間、この実施形態では３分経過すると（ステップＳ６）、制御装置２１は１５秒間隔で０．１秒ＬＥＤランプ３を点灯する（ステップＳ７）。５分経過すると（ステップＳ８）、制御装置２１は３０秒間隔で０．１秒ＬＥＤランプ３を点灯する（ステップＳ９）。１０分経過すると（ステップＳ１０）制御装置２１は６０秒間隔で０．１秒ＬＥＤランプ３を点灯する（ステップＳ１１）。
この点灯の間隔と点灯時間は種々のものが設定可能である。
【００１３】
コントローラ２が再び踏まれてスイッチ２２がオフからオンになると（ステップＳ１２）、制御装置２１はＬＥＤランプ３を消灯し（ステップＳ１３）、ステップＳ２に戻る。
所定時間経過すると（ステップＳ１４）、点灯処理を終了する（ステップＳ１５）。
【００１４】
以上の構成により、コントローラ２のＬＥＤランプ３が点滅し、コントローラ２の所在の確認がしやすくなるため、使用者がコントローラ２を見失うことなどが少なくなる。
また、ＬＥＤランプ３は時間が長くなると点滅間隔がながくなるため、消費電力が少なくなり、電池などの消耗を抑制できる。
【００１５】
なお、前記したようにこの実施形態では、表示装置５にコントローラ２の状態を表示するように構成されている。即ち、コントローラ２の電池などの電源の残量、信号レベル、その他の情報が表示されるように構成されている。また電源の交換などの警告を表示装置５に表示するように構成することも可能である。
【図面の簡単な説明】
【００１６】
【図１】本発明の一実施形態を示す概略図。
【図２】本発明の一実施形態のブロック図。
【図３】本発明の一実施形態の動作を示すフローチャート図。
【符号の説明】
【００１７】
１：ミシン本体、２：コントローラ、３：ＬＥＤランプ、５：表示装置、６：操作装置、２０：送信装置、２１：制御装置、２２：スイッチ、２３：可変抵抗器、２４：アンテナ。
【図１】
2006026147.tif 000003
【図２】
2006026147.tif 000004
【図３】
2006026147.tif 000005
(57)【要約】  【課題】  無線コントローラの電池の消耗が少ない無線コントローラを備えた電動ミシンを提供する。  【解決手段】  ミシン本体１とコントローラ２との間はケーブルがなく、コードレスになっており、無線により接続されている。コントローラ２の踏み板２５は増幅機構３５に連動し、該増幅機構３５により発電機３を駆動して、送信装置２０と制御装置２１に電源を供給する。【選択図】  図２
2006026149.tif 000002
【特許請求の範囲】
【請求項１】
ミシン本体に無線で接続し、可動部を動かすことにより信号をミシン本体に送る無線コントローラと、
該無線コントローラに備えられ、無線コントローラの可動部の動きにより稼働する発電機と、
を備えたことを特徴とする電動ミシン。
【請求項２】
前記無線コントローラが更に太陽電池を備える、
請求項１に記載の電動ミシン。
【発明の詳細な説明】
【技術分野】
【０００１】
この発明は、電動ミシンに関する。
【背景技術】
【０００２】
電動ミシンの始動、停止及び駆動速度（縫い速度）の制御は、ミシン本体に備えられたレバーか或いはミシン本体に接続された足踏み式のコントローラで行う構成が普通であるが、該足踏み式のコントローラをコードレス化して、無線でミシンの制御を行うことが提案されている（特許文献１参照）。
【０００３】
【特許文献１】特許第２７２２７６９号公報
【発明の開示】
【発明が解決しようとする課題】
【０００４】
しかし、無線コントローラの場合、本体との間にコードがないため、電源を電灯線からとることができず、電池を使用するのが一般的であるが、充電や電池交換が必要であり、充電や電池交換の時間の延長を図ることが重要である。
本発明は上記従来の問題を解決することを目的とする。
【課題を解決するための手段】
【０００５】
上記目的を達成するために、本発明の電動ミシンは、ミシン本体に無線で接続し、可動部を動かすことにより信号をミシン本体に送る無線コントローラと、該無線コントローラに備えられ、無線コントローラの可動部の動きにより稼働する発電機と、を備えたことを特徴とする。
無線コントローラは一般的に足踏み式であり、該足踏みの動きにより発電機を稼働することが可能である。また、上記構成に加えて前記無線コントローラに太陽電池を備えるように構成することも可能である。
【発明の効果】
【０００６】
本発明の電動ミシンによれば、無線コントローラにおける充電や電池交換の時間の延長を図ることができる効果がある。
【発明を実施するための最良の形態】
【０００７】
以下本発明の実施の形態を図面に基づいて説明する。
図１に示すように、この電動ミシンはミシン本体１とコントローラ２を備える。ミシン本体１とコントローラ２との間はケーブルがなく、コードレスになっており、無線により接続されている。コントローラ２には太陽電池３１とインジケータ２９が設けられており、これらについては後述する。
【０００８】
ミシン本体１には表示装置５が設けられ、種々の表示を行い、またこの実施形態ではコントローラ２からの送信内容を表示するようになっている。
ミシン本体１にはまた操作装置６が設けられており、使用者が種々の操作を行えるようになっている。
【０００９】
コントローラ２は踏み板２５を備えた足踏み式になっており、図２に示すように踏み板２５を踏み込むとスイッチ２２がオンになり、制御装置２１から信号が送られ、送信装置２０によりアンテナ２４から起動信号を送ってミシン本体１を起動し、更に踏み板２５を踏み込むと可変抵抗器２３が移動して、該踏み込み量に応じた信号をミシン本体１に送るようになっている。該信号により、ミシン本体１では所定の縫い速度（駆動速度）で縫いが実行されるようになっている。
【００１０】
送信装置２０と制御装置２１への電源供給は電池４０と発電機３とから行われるようになっている。
図２に示すように、踏み板２５は増幅機構３５と連動しており、踏み板２５を踏むと増幅機構３５が高回転で回転し、発電機３を高回転で稼働するように構成されている。増幅機構３５は複数の歯車などで構成することが可能である。
【００１１】
発電機３で発電された電気はコンデンサ３０を介して送信装置２０と制御装置２１に供給されるようになっている。
４０は充電式或いは使い捨ての電池であり、始動時や長時間使用していない時には電池４０から電力が供給される。
【００１２】
上記構成において、初期状態では電池４０から電源が供給されている。使用者が踏み板２５を踏むとスイッチ２２がオンとなり、更に踏み込むと可変抵抗器２３が移動して、該移動量に応じて信号が送信装置２０からミシン本体１に送信される。
同時に踏み板２５の踏み込みにより増幅機構３５が稼働して発電機３が発電を行い、電力を送信装置２０と制御装置２１に供給する。この間電池４０からの電源供給は停止する。そのため、電池４０の消耗が抑制され、充電や電池交換の時間を延長することができる。
【００１３】
なお、この実施形態では前記したようにコントローラ２の踏み板２５の表面部に太陽電池３１を備えており、この太陽電池３１によっても電源の供給を行っている。そのため、更に電池４０の消耗を抑制することができる。インジケータ２９は、太陽電池３１による電源供給の状態を示すものである。
【００１４】
また、前記したようにこの実施形態では、表示装置５にコントローラ２の状態を表示するように構成されている。即ち、コントローラ２の電池４０などの電源の残量、信号レベル、その他の情報が表示されるように構成されている。また電源の交換などの警告を表示装置５に表示するように構成することも可能である。
【図面の簡単な説明】
【００１５】
【図１】本発明の一実施形態を示す概略図。
【図２】本発明の一実施形態のブロック図。
【符号の説明】
【００１６】
１：ミシン本体、２：コントローラ、３：発電機３、５：表示装置、６：操作装置、２０：送信装置、２１：制御装置、２２：スイッチ、２３：可変抵抗器、２４：アンテナ、２５：踏み板、２９：インジケータ、３０：コンデンサ、３１：太陽電池、３５：増幅機構、４０：電池。
【図１】
2006026149.tif 000003
【図２】
2006026149.tif 000004
(57)【要約】【課題】車両搭載への課題である急停車・急発進又カーブの多い道、坂、でこぼこ道などで酸素富化空気に水が混ざらないようにした酸素富化空気供給装置である。【解決手段】酸素富化器１のタンク２の中にはＶ字形の仕切り１０があり、タンク２内の壁と仕切り１０の隙間ｄは狭くしてあり、車両の旋回、坂道、でこぼこ道での振動では簡単にタンク２の仕切り１０下部に溜まった水分が仕切り１０の上側に溢れでて、その水分が富化空気に混じってパイプ８より上流に出て行かないようにしている。【選択図】図１
2006026116.tif 000002
【特許請求の範囲】
【請求項１】
空気から酸素富化空気を生成する酸素富化装置と、前記酸素富化空気を貯えるタンクと、前記酸素富化装置により生成した前記酸素富化空気を供給する供給手段とを備え、車両に搭載した酸素富化空気供給装置において、前記タンクに貯まった水分が前記酸素富化空気とともに供給されることがない構造を備えたことを特徴とする酸素富化空気供給装置。
【請求項２】
酸素富化空気を貯えるタンクの内部に、車両の運転状態にかかわらず水分が前記タンクの供給出口に達しないように障壁を設けたことを特徴とする請求項１記載の酸素富化空気供給装置。
【請求項３】
酸素富化空気を貯えるタンクから導いた酸素富化空気と、通常空気とを混ぜて空気濃度をコントロールする機能を備えたことを特徴とする請求項１または２記載の酸素富化空気供給装置。
【請求項４】
タンクから供給する第１の手段と、酸素富化装置から直接供給する第２の手段とを備えたことを特徴とする請求項１または２記載の酸素富化空気供給装置。
【発明の詳細な説明】
【技術分野】
【０００１】
本発明は、車両に搭載され、酸素富化空気を搭乗員に供給する車両用酸素富化空気供給装置に関するものである。
【背景技術】
【０００２】
従来の膜法による酸素富化器は医療用として静置して使用されている（例えば特許文献１参照）。
【０００３】
図４は、従来の酸素富化器の構造の模式図である。図４において、破線は大気側の空気の流れを、実線は酸素富化空気側の流れを示す。室内空気が空気取入口２１より酸素富化器内に導かれ、冷却手段２２と接触した後ファン２３により酸素富化モジュール２４内に送られ、酸素富化モジュール２４内で酸素濃度の低くなった空気（貧化空気）は真空ポンプ２５を冷却した後酸素富化器外へ空気排出口２６より排出される。また、酸素富化モジュール２４内で酸素濃度の高くなった酸素富化空気は真空ポンプ２５により冷却手段２２に送られて酸素富化空気中の水分を凝縮されて水分分離手段２７に送られる。水分を分離された酸素富化空気は、流量調節弁２８と流量計２９とにより吸引療法に必要な富化空気流量となるように調節されて供給される。
【特許文献１】特公昭６１−１９５６３号公報
【発明の開示】
【発明が解決しようとする課題】
【０００４】
近年、酸素富化空気の効用が医療用のみならず日常生活にも活用されるようになり、例えば自動車等の車両に積載されて運転者の気分転換などにも応用が考えられる。上記特許文献１による膜法の酸素富化器を車両に搭載することを考えると、車両の場合、坂道・でこぼこ道・カーブの多い道があり又車両が急停止する場合も急発進する場合などがあり、分離された水分が酸素富化空気の供給通路に入ることが想定される。そのため、運転者に不快な思いを与えたり、供給通路内で汚れ等が発生して吸入空気としては不適になるという課題を有していた。
【０００５】
本発明はこのような従来の課題を解決するものであり、急停止・急発進又カーブの多い道、坂、でこぼこ道を走る時においても水分が酸素富化空気に混入して供給されることもなく又適度な酸素濃度に混合した酸素富化空気を供給するようにし、車両搭載可能にした酸素富化装置を提供することを目的とする。
【課題を解決するための手段】
【０００６】
上記課題を解決するために本発明は、車両搭載への課題である急停車・急発進又カーブの多い道、坂、でこぼこ道などに対応し、酸素富化空気にタンクに貯まった水分が混入しないように、タンク内に障壁を備えた酸素富化装置である。
【０００７】
また、適度な酸素富化空気を供給するために通常空気と混合する供給手段がある酸素富化装置である。適度な酸素濃度の酸素富化空気にするための手段は、酸素ボンベから直接する方法であってもいいし他の方法であってもよい。このようにすることによって、車両への適用が可能となり、適正な酸素富化空気が人に供給されることが可能になる。
【発明の効果】
【０００８】
上記から明らかなように、本発明は、酸素富化装置を車両用に搭載可能にしたものであり、酸素富化空気に水分が混ざらないように工夫されており、健康的にもよい。また酸素
富化空気の濃度を任意に設定でき快適性のよい酸素富化供給装置となる。
【発明を実施するための最良の形態】
【０００９】
以下本発明の実施の形態について図面を参照して説明する。
【００１０】
（実施の形態１）
図１は本実施形態の例の酸素富化空気供給装置で、酸素富化器１で生成された酸素富化された空気は、パイプ６、逆支弁３、パイプ７を通りタンク２に貯えられる。酸素富化器１で発生した水分もタンク２に貯えられる。タンク２の中にはＶ字形の仕切り１０があり、タンク２内の壁とＶ字形の仕切り１０の隙間ｄは狭くしてあり、車両の旋回、坂道、でこぼこ道での振動では簡単にタンク２のＶ字形の仕切り１０下部に溜まった水分がＶ字形の仕切り１０の上側に溢れでて、その水分が富化空気に混じってパイプ８より上流に出て行かないようにしている。またパイプ８部分にも水分が入らないようにパイプはＬ字形で鉛直上側にして工夫している。タンク２に貯えられた酸素富化空気は、パイプ８を通り、電磁弁を通りパイプ９より人に提供される。
【００１１】
（実施の形態２）
図２も本実施の形態例の酸素富化供給装置で、図１の形態をさらに進化させたもので、第一の制御弁１１と第二制御弁により、何処かにセンサーを設置した制御方法でもよいが、単に人為的に酸素濃度を設定する方法でもよいが、酸素富化空気の濃度を適度に変えられ制御できる酸素富化装置を提供する。これによって酸素富化空気の酸素濃度を任意コントロールし、その時その時に応じた快適な酸素富化空気を提供することができる。図３は、実施の形態２に分岐部１３を設けたもので、他人数に酸素富化空気を供給することもできる。
【産業上の利用可能性】
【００１２】
以上のように、本発明にかかる車両用酸素富化空気供給装置は、揺れる使い方において不都合を生じないようにしたものであり、可搬性、携帯性を考慮した酸素富化空気供給装置に適用できる。
【図面の簡単な説明】
【００１３】
【図１】本発明の実施の形態１における酸素富化空気供給装置の模式図
【図２】本発明の実施の形態２における酸素富化空気供給装置の模式図
【図３】同、他の実施例を示す酸素富化空気供給装置の模式図
【図４】従来の酸素富化器の模式図
【符号の説明】
【００１４】
１  酸素富化器
２  タンク
３  逆止弁
４  電磁弁
５  排水弁
６  パイプ
１０  仕切り
【図１】
2006026116.tif 000003
【図２】
2006026116.tif 000004
【図３】
2006026116.tif 000005
【図４】
2006026116.tif 000006
(57)【要約】 【課題】  衣類の保護効果と共に優れた洗濯効果が得られる洗濯ネットを提供する。【解決手段】  衣類を収容した状態で洗濯機に入れて使用する洗濯ネット１において、内面に衣類の汚れを掻き落とすための起毛５を設ける。この起毛５のブラッシング作用により衣類の汚れを掻き落す十分な洗濯効果が得られると共に、起毛５の柔軟性により衣類の保護効果も得られる。起毛５はループ状にする。【選択図】    図１
2006026112.tif 000002
【特許請求の範囲】
【請求項１】
衣類を収容した状態で洗濯機に入れて使用する洗濯ネットにおいて、内側に前記衣類の汚れを掻き落とすための起毛を設けたことを特徴とする洗濯ネット。
【請求項２】
前記起毛がループ状であることを特徴とする請求項１に記載の洗濯ネット。
【請求項３】
縫い代を内側よりバイヤステープで包被したことを特徴とする請求項１または請求項２の何れかに記載の洗濯ネット。
【発明の詳細な説明】
【技術分野】
【０００１】
本発明は、衣類を収容した状態で洗濯機に投入して使用する洗濯ネットに関し、特に、洗濯効果を向上した洗濯ネットに関するものである。
【背景技術】
【０００２】
従来より、洗濯物を洗濯機で洗濯する際、下着や靴下、或いは子供用衣服等の痛み易い小物類は、ナイロンやポリエステル等の繊維素材を用いて袋状に縫製した専用の洗濯ネットに収容して、他の洗濯物等と共に洗濯機に入れて洗濯するようにしている。
この洗濯ネットは、ネット内部に洗濯液が流通し易いよう、全面を網目状に構成して洗濯効果の向上を図っているが、主として、洗濯機内の洗濯物が洗濯槽の攪拌翼によって擦られたり、水流で他の洗濯物と絡み合って生地が傷付くのを防止することを目的としており、その先行技術として、例えば、特許文献１が開示されている。
【特許文献１】特開２００３−３４０１９０号公報
【発明の開示】
【発明が解決しようとする課題】
【０００３】
しかし、従来の洗濯ネットは、衣類の傷付きを保護できるものの、ネット内において洗濯物を擦る力が弱く十分な汚れ落ちの効果は得られず、洗濯効果は悪いものであった。
【０００４】
本発明は、このような従来の洗濯ネットの欠点に鑑み成されたもので、衣類の傷付きに対する保護効果と共に優れた洗濯効果を実現させた洗濯ネットを提供することを目的としている。
【課題を解決するための手段】
【０００５】
すなわち、請求項１に記載の本発明は、衣類を収容した状態で洗濯機に入れて使用する洗濯ネットにおいて、内側に前記衣類の汚れを掻き落とすための起毛を設けたことを特徴としている。
【０００６】
また、請求項２に記載の本発明は、請求項１に記載の洗濯ネットにおいて、前記起毛がループ状であることを特徴としている。
【０００７】
また、請求項３に記載の本発明は、請求項１または請求項２の何れかに記載の洗濯ネットにおいて、縫い代を内側よりバイヤステープで包被したことを特徴としている。
【０００８】
請求項１、請求項２に記載の構成では、ネット内面の起毛によるブラッシング作用により、衣類の汚れを掻き落す十分な洗濯効果が得られると共に、起毛の柔軟性により、衣類の保護効果も得られる。また、上記起毛をループ状にすることにより、起毛によるブラッシング効果はより一層向上する。
また、請求項３に記載の構成では、ネット内側の硬い縫い代が柔らかい布で包被されることにより、洗濯ネット内の衣類が直接縫い代に接触し、擦られて傷付くのを防止することができる。
【発明の効果】
【０００９】
本発明によれば、ネットの内面に起毛を設けたので、この起毛のブラッシング作用により衣類の汚れを掻き落す十分な洗濯効果が得られると共に、起毛の柔軟性により衣類の保護効果も得られる。
また、起毛をループ状にすることにより、ブラッシング効果はより一層向上する。
【発明を実施するための最良の形態】
【００１０】
以下、図面に基づいて本発明に係る洗濯ネットの一実施形態を説明する。
図１は本実施形態における洗濯ネットの外観斜視図である。
【００１１】
図１に示すように、洗濯ネット１は、ナイロン繊維やポリエステル繊維等で成る網目状の織物を折り重ねて袋状に縫製したものであって、開口部にポリエステル製のファスナー２を設けて開閉自在としている。また、洗濯ネット１の縫製された両側部と開口縁部は、内側より柔らかいバイヤステープ３で包被されている。
【００１２】
この洗濯ネット１の内側全面に網目状の基布４から内側に向けてループ状の起毛５（パイル）が形成されており、これにより、ネット内面をブラシ状にして洗濯効果を向上させている。
【００１３】
このような構造の洗濯ネット１を用いて衣類を洗濯する場合は、先ず、下着や靴下、或いは子供用衣服等、汚れた小物類を水に浸し、汚れ取り用石けんを擦り込む。次に、石けんを擦り込んだ小物類を洗濯ネット１に収容し、ファスナー２を閉じて泡が出るまで良く手揉した後、洗濯機に入れて他の洗濯物と共に通常の洗濯動作を行う。
【００１４】
洗濯機の回転翼が回転すると洗濯水が攪拌し、その際の水流で洗濯ネット１と共にネット内の衣類は回転・反転を繰り返しながら揉み洗いされ、この間、衣類はネット内面の起毛５に接触し、擦られ、そのブラッシング作用により衣類に付着した頑固な汚れを掻き落とす。
起毛５はループ状に形成されているから、ブラッシング作用は効果的に行われ、衣類を均等にブラッシングして優れた洗濯効果が得られる。加えて、起毛５の奏する柔軟性は、揉み洗いの際に衣類がネット内面と接触して生じる衣類の傷付きを保護する。
【００１５】
また、洗濯ネット１の内側の硬い縫い代は、柔らかいバイヤステープ３で包被されているので、洗濯ネット１内の衣類が縫い代部分に接触して擦られても傷付くことはない。
【００１６】
このように、本発明の洗濯ネット１は、ネット内面に衣類の汚れを掻き落とすための起毛５を設ける構造としたので、衣類の保護効果と共に優れた洗濯効果が得られるものである。
【００１７】
以上、本実施形態では洗濯ネット１として四角い扁平形の物を説明したが、これに限るものではなく、丸形、三角形、或いは、球形、筒形等の各種形状が可能である。
【図面の簡単な説明】
【００１８】
【図１】本発明に係る洗濯ネットの外観斜視図。
【符号の説明】
【００１９】
１  洗濯ネット
３  バイヤステープ
５  起毛
【図１】
2006026112.tif 000003